(57)【要約】      （修正有）【課題】電池電力を節約する効果を達成する節電型コンピューターマウスを提供する。【解決手段】マウスの既存の各制御ユニットの他に、スイッチトランジスターと近接感知装置を増設し、近接感知装置はキャパシタ式近接センサー１２と電荷感知ボード１３を備え、電荷感知ボード１３はマウスのハウジング１４内面に設置し、マウスハウジング１４内に設置する電荷感知ボード１３により、非接触の方式により、マウスの既存の各操作ユニットへの電力供給タイミングを制御し、手がマウスを握ると、電荷感知ボード１３は人体の微量の電荷を感知し、マウスの既存各操作ユニットの電源を自動的にオンにし(ウェークアップし)、手がマウスを離れる時、すなわち電荷感知ボード１３の感知範囲を離れると、マウスの既存各操作ユニットの電源は自動的にオフ (スタンバイ) となる。【選択図】図１
0003149267.tif 000002
【実用新案登録請求の範囲】
【請求項１】
節電型コンピューターマウスのワイヤレスコンピューターマウス制御回路は、マイクロプロセッサーユニット、無線発射ユニット、ボタンとローラー或いは光学信号受信処理ユニット、発射アンテナを備え、
前記ワイヤレスマウス制御回路上には、スイッチトランジスターと近接感知装置を増設し、前記近接感知装置は、キャパシタ式近接センサーと電荷感知ボードを備え、前記電荷感知ボードはマウスのハウジング内面に設置し、
前記マウスハウジング内に設置する電荷感知ボードにより、非接触の方式により、マウスへの電力供給タイミングを感知して制御し、
手がマウスを握ると、前記電荷感知ボードは人体の微量の電荷を感知し、前記キャパシタ式近接センサー出力がハイに変化すると、前記マイクロプロセッサーユニットは呼び起こされ、スイッチトランジスターを触発し通電し、同時に、無線発射ユニットとボタンとローラー或いは光学信号受信処理ユニットは起動され、
手がマウスを離れる時、すなわち前記電荷感知ボードの感知範囲を離れると、前記キャパシタ式近接センサーの出力はローに変化し、この時、マイクロプロセッサーユニットはスタンバイ状態へと入り、同時に、スイッチトランジスターも切断され、無線発射ユニットとボタンとローラー或いは光学信号受信処理ユニットもシャットダウンされ、
このようにしてマウス電池の電源も自動的にオン或いはオフとなることを特徴とする節電型コンピューターマウス。
【請求項２】
前記スイッチトランジスターと前記キャパシタ式近接センサーは、前記マイクロプロセッサーユニット内に設置されることを特徴とする請求項１に記載の節電型コンピューターマウス。
【請求項３】
節電型コンピューターマウスの有線コンピューターマウス制御回路は、マイクロプロセッサーユニット、無線発射ユニット、ボタンとローラー或いは光学信号受信処理ユニット、有線コネクターを備え、
前記マウス制御回路上には、スイッチトランジスターと近接感知装置を増設し、前記近接感知装置は、キャパシタ式近接センサーと電荷感知ボードを備え、前記電荷感知ボードはマウスのハウジング内面に設置し、
前記マウスハウジング内に設置する電荷感知ボードにより、非接触の方式により、マウスへの電力供給タイミングを感知して制御し、
手がマウスを握ると、前記電荷感知ボードは人体の微量の電荷を感知し、前記キャパシタ式近接センサー出力がハイに変化すると、前記マイクロプロセッサーユニットは呼び起こされ、スイッチトランジスターを触発し通電し、同時に、無線発射ユニットとボタンとローラー或いは光学信号受信処理ユニットは起動され、
手がマウスを離れる時、すなわち前記電荷感知ボードの感知範囲を離れると、前記キャパシタ式近接センサーの出力はローに変化し、この時、マイクロプロセッサーユニットはスタンバイ状態へと入り、同時に、スイッチトランジスターも切断され、無線発射ユニットとボタンとローラー或いは光学信号受信処理ユニットもシャットダウンされ、
このようにしてマウス電池の電源も自動的にオン或いはオフとなることを特徴とする節電型コンピューターマウス。
【請求項４】
前記スイッチトランジスターと前記キャパシタ式近接センサーは、前記マイクロプロセッサーユニット内に設置されることを特徴とする請求項3に記載の節電型コンピューターマウス。
【考案の詳細な説明】
【技術分野】
【０００１】
本考案は節電型コンピューターマウスに関し、特に無線及び有線マウスの各制御ユニットの他に、スイッチトランジスターと近接感知装置を増設し、該近接感知装置はキャパシタ式近接センサーと電荷感知ボードを備え、使用者はマウスの使用時に、電荷感知ボードにより非接触の方式で、手の接近或いは離れたことによる微量の電荷変化を感知すると、マウスへの電力供給タイミングを制御し、手がマウスを離れ、すなわち電荷感知ボードの感知範囲を離れると、マウスの電源は自動的に切断され、このようにして手がマウスを握っている時にだけマウスへ通電し、手がマウスを離れるとマウスの電源は自動的に切断され、環境保護のための節電効果を達成する節電型コンピューターマウスに関する。
【背景技術】
【０００２】
従来のコンピューターマウスには、有線と無線の2種の規格がある。内、ワイヤレスマウス2は、図９と図１０に示すように、マイクロプロセッサーユニット21、無線発射ユニット211、ボタンとローラー或いは光学信号受信処理ユニット212、発射アンテナ213を備える。マイクロプロセッサーユニット21等の回路は、電池23を使用し、必要な電力の供給を受ける。電池23の使用寿命を延長するために、一般にスイッチ22を設置するが、使用者はマウス2を使用しない時には、該マウス2の電源をこまめに切断する習慣を身につけ、これによりマウス2内の電池23の無駄な消費を回避しなければならない。しかし、使用者がマウス2を操作する時間は、コンピューター使用時間全体の10〜20％に過ぎないが、マウス2はスイッチ22をオンにすれば、スイッチ22をオフにするまで、ひたすら電力を消費し続ける。その電力消費状況は、図１１に示す。図１２は、従来の有線マウスの制御回路図である。従来のノート型コンピューターの有線マウスは、USBマウスの有線コネクター214をノート型コンピューターに挿入すると、マイクロプロセッサーユニット21とボタンとローラー或いは光学信号受信処理ユニット212は、ノート型コンピューター内バッテリーの電力の使用を開始し、使用者がマウスを使用しているか否かにかかわらず、ノート型コンピューターバッテリーの電力の使用を維持する。その電力消費状況は、図１３に示す。
【考案の概要】
【考案が解決しようとする課題】
【０００３】
本考案が解決しようとする第一の課題は、従来の無線及び有線マウスの既存の各制御ユニットの他に、スイッチトランジスターと近接感知装置を増設し、該近接感知装置はキャパシタ式近接センサーと電荷感知ボードを備え、使用者はマウスの使用時に、電荷感知ボードにより非接触の方式で、人体の微量の電荷変化を感知すると、マウスの各必要な操作ユニットへの電力供給タイミングを制御し、環境保護のための節電効果を達成する節電型コンピューターマウスを提供することである。
本考案が解決しようとする第二の課題は、近接感知ボードにより、非接触の方式で、人体の微量の電荷変化を感知すると、マウスの各必要な操作ユニットへの電力供給タイミングを制御し、スイッチ切り換えの動作を減らすことにより、故障率を低下させ、さらにはスイッチを省くこともでき、コスト低下と美観の効果を達成する節電型コンピューターマウスを提供することである。
【課題を解決するための手段】
【０００４】
請求項１の考案は、節電型コンピューターマウスのワイヤレスコンピューターマウス制御回路は、マイクロプロセッサーユニット、無線発射ユニット、ボタンとローラー或いは光学信号受信処理ユニット、発射アンテナを備え、
前記ワイヤレスマウス制御回路上には、スイッチトランジスターと近接感知装置を増設し、前記近接感知装置は、キャパシタ式近接センサーと電荷感知ボードを備え、前記電荷感知ボードはマウスのハウジング内面に設置し、
前記マウスハウジング内に設置する電荷感知ボードにより、非接触の方式により、マウスへの電力供給タイミングを感知して制御し、
手がマウスを握ると、前記電荷感知ボードは人体の微量の電荷を感知し、前記キャパシタ式近接センサー出力がハイに変化すると、前記マイクロプロセッサーユニットは呼び起こされ、スイッチトランジスターを触発し通電し、同時に、無線発射ユニットとボタンとローラー或いは光学信号受信処理ユニットは起動され、
手がマウスを離れる時、すなわち前記電荷感知ボードの感知範囲を離れると、前記キャパシタ式近接センサーの出力はローに変化し、この時、マイクロプロセッサーユニットはスタンバイ状態へと入り、同時に、スイッチトランジスターも切断され、無線発射ユニットとボタンとローラー或いは光学信号受信処理ユニットもシャットダウンされ、
このようにしてマウス電池の電源も自動的にオン或いはオフとなることを特徴とする節電型コンピューターマウスとしている。
請求項２の考案は前記スイッチトランジスターと前記キャパシタ式近接センサーは、前記マイクロプロセッサーユニット内に設置されることを特徴とする請求項１に記載の節電型コンピューターマウスとしている。
請求項３の考案は、節電型コンピューターマウスの有線コンピューターマウス制御回路は、マイクロプロセッサーユニッ、無線発射ユニット、ボタンとローラー或いは光学信号受信処理ユニット、有線コネクターを備え、
前記マウス制御回路上には、スイッチトランジスターと近接感知装置を増設し、前記近接感知装置は、キャパシタ式近接センサーと電荷感知ボードを備え、前記電荷感知ボードはマウスのハウジング内面に設置し、
前記マウスハウジング内に設置する電荷感知ボードにより、非接触の方式により、マウスへの電力供給タイミングを感知して制御し、
手がマウスを握ると、前記電荷感知ボードは人体の微量の電荷を感知し、前記キャパシタ式近接センサー出力がハイに変化すると、前記マイクロプロセッサーユニットは呼び起こされ、スイッチトランジスターを触発し通電し、同時に、無線発射ユニットとボタンとローラー或いは光学信号受信処理ユニットは起動され、
手がマウスを離れる時、すなわち前記電荷感知ボードの感知範囲を離れると、前記キャパシタ式近接センサーの出力はローに変化し、この時、マイクロプロセッサーユニットはスタンバイ状態へと入り、同時に、スイッチトランジスターも切断され、無線発射ユニットとボタンとローラー或いは光学信号受信処理ユニットもシャットダウンされ、
このようにしてマウス電池の電源も自動的にオン或いはオフとなることを特徴とする節電型コンピューターマウスとしている。
請求項４の考案は前記スイッチトランジスターと前記キャパシタ式近接センサーは、前記マイクロプロセッサーユニット内に設置されることを特徴とする請求項３に記載の節電型コンピューターマウスとしている。
【考案の効果】
【０００５】
本考案は、無線及び有線マウスの各制御ユニットの他に、スイッチトランジスターと近接感知装置を増設し、該近接感知装置はキャパシタ式近接センサーと電荷感知ボードを備え、使用者はマウスの使用時に、電荷感知ボードにより非接触の方式で、手の接近或いは離れたことによる微量の電荷変化を感知すると、マウスへの電力供給タイミングを制御し、手がマウスを離れ、すなわち電荷感知ボードの感知範囲を離れると、マウスの電源は自動的に切断され、このようにして手がマウスを握っている時にだけマウスへ通電し、手がマウスを離れるとマウスの電源は自動的に切断され、環境保護のための節電効果を達成することができる。
【図面の簡単な説明】
【０００６】
【図１】本考案一実施形態による節電型コンピューターマウスの立体分解図である。
【図２】本考案一実施形態による節電型コンピューターマウスの立体図である。
【図３】本考案一実施形態による節電型コンピューターマウスにおいて、その設計をワイヤレスマウスに使用する時の制御回路図である。
【図４】本考案一実施形態による節電型コンピューターマウスにおいて、人の手がマウスに接近していない時の概略図である。
【図５】本考案一実施形態による節電型コンピューターマウスにおいて、人の手がマウスに接近した時の概略図である。
【図６】本考案一実施形態による節電型コンピューターマウスにおいて、実際使用時の使用状態図である。
【図７】本考案一実施形態による節電型コンピューターマウスにおいて、その設計使用時の消費電流図である。
【図８】本考案一実施形態による節電型コンピューターマウスにおいて、その設計を有線マウスに使用する時の制御回路図である。
【図９】従来のワイヤレスマウスの立体図である。
【図１０】従来のワイヤレスマウスの制御回路図である。
【図１１】従来のワイヤレスマウス使用時の消費電流図である。
【図１２】従来の有線マウスの制御回路図である。
【図１３】従来の有線マウス使用時の消費電流図である。
【考案を実施するための形態】
【０００７】
図１、図２、図３に示すように、本考案一実施形態による節電型コンピューターマウス１において、一般のワイヤレスマウス制御回路は、マイクロプロセッサーユニット11、無線発射ユニット111、ボタンとローラー或いは光学信号受信処理ユニット112、発射アンテナ113を備える。本考案は主に、ワイヤレスマウス1のマイクロプロセッサーユニット11とボタンとローラー或いは光学信号受信処理ユニット112上に、スイッチトランジスター121と近接感知装置を増設する。近接感知装置は、キャパシタ式近接センサー12と電荷感知ボード13で、電荷感知ボード13はマウス1のハウジング14内面に設置する。マウス1のハウジング14内に設置する電荷感知ボード13により、非接触の方式により、マウス1の各必要な操作ユニットへの電力供給タイミングを感知して制御する。手16がマウス1を握ると、電荷感知ボード13は人体の微量の電荷を感知し、キャパシタ式近接センサー12の出力がハイ(HIGH)に変化すると、マイクロプロセッサーユニット11は呼び起こされ、スイッチトランジスター121を触発し通電する。同時に、無線発射ユニット111とボタンとローラー或いは光学信号受信処理ユニット112は起動される。手16がマウス１を離れる時、すなわち電荷感知ボード１３の感知範囲を離れると、キャパシタ式近接センサー12の出力はロー(LOW)に変化する。この時、マイクロプロセッサーユニット11はスタンバイ状態へと入り、同時に、スイッチトランジスター121も切断され、無線発射ユニット111とボタンとローラー或いは光学信号受信処理ユニット112もシャットダウンされる。このようにして、手16がマウス１を握った時だけ、マウス1の各操作ユニットの電源はオンとなり、手16がマウス1を離れると、マウス１の各操作ユニットの電源は自動的にオフとなる(図４、図５、図６参照)。一般にコンピューター操作時にマウス１を使用する時間は、平均でコンピューター使用時間の10〜20％に過ぎないため、平均で80％前後の電力消費を節約することができ(図７参照)、このようにして、環境にやさしい電池電力を節約する効果を達成する。
【０００８】
次に図８は、本考案一実施形態による節電型コンピューターマウスにおいて、その設計を有線マウスに使用する時の制御回路図である。図に示すように、一般の有線マウス2制御回路は、マイクロプロセッサーユニット21、ボタンとローラー或いは光学信号受信処理ユニット212、有線コネクター214、スイッチトランジスター121を備える。有線マウス２のマイクロプロセッサーユニット21とボタンとローラー或いは光学信号受信処理ユニット212上には、スイッチトランジスター121と近接感知装置を増設する。近接感知装置は、キャパシタ式近接センサー12と電荷感知ボード13で、電荷感知ボード13はマウス１のハウジング14内面に設置する。有線マウス２ハウジング14内に設置する電荷感知ボード13により、非接触の方式により、有線マウス2の各必要な操作ユニットへの電力供給タイミングを感知して制御し、このようにして、環境にやさしい電池電力を節約する効果を達成する。
【０００９】
本考案は、環境にやさしい電池電力を節約する効果を備え、またスイッチ切り換えの動作を減らすことにより、故障率を低下させ、さらにはスイッチを省くこともでき、コスト低下と美観の効果を達成することができる。
【符号の説明】
【００１０】
1、2  マウス
11、21  マイクロプロセッサーユニット
111、211    無線発射ユニット
112、  212  ボタンとローラー或いは光学信号受信処理ユニット
113、213  発射アンテナ
12  キャパシタ式近接センサー
121  スイッチトランジスター
13    電荷感知ボード
14    ハウジング
15、23  電池
16  手
22  スイッチ
【図１】
0003149267.tif 000003
【図２】
0003149267.tif 000004
【図３】
0003149267.tif 000005
【図４】
0003149267.tif 000006
【図５】
0003149267.tif 000007
【図６】
0003149267.tif 000008
【図７】
0003149267.tif 000009
【図８】
0003149267.tif 000010
【図９】
0003149267.tif 000011
【図１０】
0003149267.tif 000012
【図１１】
0003149267.tif 000013
【図１２】
0003149267.tif 000014
【図１３】
0003149267.tif 000015